(57)【要約】【課題】パチンコ遊技機盤面に簡易に確実に取り付け固定し、迅速且つ正確にパチンコ遊技機盤面傾斜測定をする。【解決手段】測定器本体上部と下部から垂直に突出させ、上部接触子は測定器本体に固定して取り付け、測定器本体に垂直方向の割り込み溝と、その割り込み溝の一端に傾斜を付けた貫通孔と、測定器本体のパチンコ遊技機盤面に対する垂直測定をする測定器本体垂直測定用気泡管を設け、下部接触子は測定器本体側にネジ加工を施し、測定器本体内部にネジ締結コマと、測定器本体には上下方向に下部接触子を移動させる上下移動用溝を設け、下部接触子とネジ締結コマとの締結時には測定器本体から上部接触子先端と下部接触子先端までの長さを同等とする。パチンコ遊技機盤面に対して垂直方向にパチンコ遊技機盤面傾斜を測定する複数の傾斜測定用気泡管を隣接させて備え、測定器本体のパチンコ遊技機盤面に対して横方向の水平を測定する水平測定用気泡管を備える。【選択図】図１
0003171139.tif 000002
【実用新案登録請求の範囲】
【請求項１】
測定器本体上部から垂直に突出させ、測定器本体に固定して取り付けた上部接触子で、測定器本体に垂直方向の割り込み溝と、その割り込み溝の一端に傾斜を付けた貫通孔と、測定器本体のパチンコ遊技機盤面に対する垂直測定する測定器本体垂直測定用気泡管を設けた上部接触子を備えたパチンコ遊技機盤面傾斜測定器。
【請求項２】
測定器本体下部から垂直に突出させ、その測定器本体側にネジ加工を施した下部接触子と、測定器本体内部にネジ締結コマと、測定器本体には上下方向に下部接触子を移動させる上下移動用溝を設け、下部接触子とネジ締結コマとの締結時には測定器本体から上部接触子先端と下部接触子先端までの長さを同等とした下部接触子を備え、請求項１の上部接触子を備えたパチンコ遊技機盤面傾斜測定器。
【請求項３】
パチンコ遊技機盤面正面に対し垂直方向にパチンコ遊技機盤面の傾斜測定をする複数の傾斜測定用気泡管を隣接して備え、請求項１の上部接触子と請求項２の下部接触子を備えたパチンコ遊技機盤面傾斜測定器。
【請求項４】
測定器本体のパチンコ遊技機盤面に対して横方向の水平測定をする水平測定用気泡管を備え、請求項１の上部接触子と請求項２の下部接触子と、請求項３の傾斜測定用気泡管を備えたパチンコ遊技機盤面傾斜測定器。
【考案の詳細な説明】
【技術分野】
【０００１】  本考案は、パチンコ遊技機盤面の傾斜測定に関するものである。
【背景技術】
【０００２】  パチンコ遊技機は遊技機本体を垂直から０〜１度程度傾斜させて設置され、その傾斜を調節することで出玉の調整および管理が行われている。そのパチンコ遊技機台枠及び盤面に、気泡管を組み込んだ傾斜計やデジタル式の傾斜計から成る測定器を用い、パチンコ遊技機の傾斜角度を測定することが知られている。
【考案の概要】
【考案が解決しようとする課題】
【０００３】  従来、パチンコ遊技機の傾斜測定を行う際には、金属や樹脂製のフレームに側面から気泡管を組み込んだ傾斜計やデジタル式の傾斜計から成る測定器を、パチンコ遊技機台枠に直接当接させる方法や、その測定器から突出させた棒状の接触子でパチンコ遊技機盤面に当接させる方法、弾性体を利用した可動式上部接触子とパチンコ遊技機盤面上の突起物を避けるため移動する下部接触子を用いて直接測定器をパチンコ遊技機盤面に固定する方法などでパチンコ遊技機の傾斜測定を行っていた。従来のパチンコ遊技機台枠に測定器を直接当接させ傾斜測定をする方法は、台枠の歪みやガタなどにより台枠と実質測定面であるパチンコ遊技機盤面の傾斜が必ずしも一致せず正確な傾斜測定がし難く、測定者が手で測定器を保持し測定値を側面から読み取るため作業性が悪いという問題点があった。パチンコ遊技機盤面に直接棒状の接触子を当接させる方法は、パチンコ遊技機盤面上の突起物が障害となりパチンコ遊技機盤面に当接し難く、測定者が手で測定器を保持するため当接誤差や手振れ等によって傾斜測定が不確実であった。弾性体を利用した可動式上部接触子とパチンコ遊技機盤面上の突起物を避けて移動する下部接触子を用いて測定器をパチンコ遊技機盤面に固定してパチンコ遊技機盤面の傾斜測定をする方法は、可動式のため簡易に素早くパチンコ遊技機盤面に取り付けることが出来ず、構造が複雑で遊技釘への着脱が不便で、且つ取り付け精度が不安定であり、パチンコ遊技機盤面上の突起物を避けるため移動する下部接触子を備えるが、測定器本体から上下接触子の長さが同等になり難く、測定誤差が生じる原因となっていた。傾斜測定用気泡管を測定器本体に側面から組み込む方法は、気泡管を縦方向に配置しパチンコ遊技機盤面の側面で傾斜測定をするため、気泡位置を正確に読み取り難く、瞬時に読み取るため正面から見る方法は、傾斜測定用気泡管の調整及び固定方法が難しく任意に設定された傾斜を維持し難く、測定範囲の調整や測定器の校正が容易に出来なかった。パチンコ遊技機盤面に簡易な方法で確実に取り付け固定し、迅速且つ正確にパチンコ遊技機盤面の傾斜測定し、その測定値を測定者の正面から気泡管の気泡位置を正確且つ瞬時に読み取ることが出来るパチンコ遊技機盤面傾斜測定器を提供することを課題とする。
【課題を解決するための手段】
【０００４】  測定器本体上部から垂直に突出させ、測定器本体に固定して取り付けた上部接触子で、測定器本体に垂直方向の割り込み溝と、その割り込み溝の一端に傾斜を付けた貫通孔と、測定器本体のパチンコ遊技機盤面に対する垂直測定する測定器本体垂直測定用気泡管を設けた上部接触子を備えた。【０００５】  測定器本体下部から垂直に突出させ、その測定器本体側にネジ加工を旋した下部接触子と、測定器本体内部にネジ締結コマと、測定器本体には上下方向に下部接触子を移動させる上下移動用溝を設け、下部接触子とネジ締結コマとの締結時には測定器本体から上部接触子先端と下部接触子先端までの長さを同等とした下部接触子を備えた。【０００６】  パチンコ遊技機盤面正面に対し垂直方向にパチンコ遊技機盤面の傾斜測定をする複数の傾斜測定用気泡管を隣接して備えた。【０００７】  測定器本体のパチンコ遊技機盤面に対して横方向の水平測定をする水平測定用気泡管を備えた。
【考案の効果】
【０００８】  請求項１の上部接触子はパチンコ遊技機盤面から突出している遊技釘へ上部接触子に設けた割り込み溝と貫通孔を当接させて掛け、貫通孔には上部が小さく下部が大きい傾斜を設けてあるため、遊技釘の釘傘の半円形状を利用して貫通孔の傾斜に沿って、上部接触子先端がパチンコ遊技機盤面に当接するまで測定器本体の自重で測定器本体が下がり、パチンコ遊技機盤面上の遊技釘に上部接触子を掛けるだけで、上部接触子先端をパチンコ遊技機盤面に当接させた状態で測定器を確実にパチンコ遊技機盤面に取り付け固定することが出来る。傾斜測定の際には測定器本体がパチンコ遊技機盤面に固定されているため、測定者が手振れ等なく迅速且つ正確な傾斜測定が可能で作業性にも優れている。【０００９】  請求項１の上部接触子は弾性体を利用した可動式でなく非可動式の固定部品で構成されているため、簡易に素早くパチンコ遊技機盤面に取り付けることが出来、遊技釘への着脱も容易で取り付け精度も高く、遊技釘は可動式の部品による無理な押さえがないため、遊技釘やパチンコ遊技機盤面を傷めずパチンコ遊技機盤面の傾斜測定が出来る。請求項１の測定器本体のパチンコ遊技機盤面に対する垂直測定する測定器本体垂直測定用気泡管を設けることにより、請求項３の傾斜測定用気泡管を使用する際の補助とすることが可能である。【００１０】  請求項２の下部接触子は測定器本体に設けた上下移動用溝に沿って上下方向に移動することでパチンコ遊技機盤面上の突起物を避け、請求項２の下部接触子先端がパチンコ遊技機盤面に当接することが出来る。請求項２の下部接触子はパチンコ遊技機盤面上の突起物を避け、移動させた後に測定器本体に設けたネジ締結コマに締結させて測定器本体と固定することで、測定器本体から下部接触子先端までの長さが一定となり、パチンコ遊技機盤面から測定器本体までの上下接触子の長さを同等に保つことが出来るので、測定器本体の上下移動用溝に沿って上下方向に移動する請求項２の下部接触子を備えていても測定誤差を生じさせないで傾斜測定が出来る。【００１１】  請求項３の傾斜測定用気泡管は遊技機盤面正面に対して垂直方向に隣接させ横一列に設けてあるため、測定者が測定器本体正面から傾斜測定用気泡管の気泡位置を正確且つ瞬時に読み取ることが出来る。パチンコ遊技機盤面は様々な傾斜を設定し使用されるため、傾斜測定用気泡管が複数あることにより、それぞれの傾斜測定用気泡管に予め対応する傾斜を設定し調整出来、パチンコ遊技機盤面の異なる複数の傾斜をそれぞれ設定し傾斜測定する場合でも対応することが可能である。請求項３の傾斜測定用気泡管はそれぞれネジで測定器本体に固定することにより、そのネジの締結を調整することで測定範囲の調整や測定器の校正を容易に行うことが出来る。【００１２】  請求項３の傾斜測定用気泡管とは別に設けた請求項４の水平測定用気泡管は測定器本体のパチンコ遊技機盤面に対し横方向の水平を確認しながらパチンコ遊技機盤面の傾斜測定をすることが可能である。そのため傾斜測定時に測定器本体を水平に保ち、測定器本体がパチンコ遊技機盤面に対し横方向に傾くことを防ぎながら、パチンコ遊技機盤面の傾斜を正確に測定することが出来る。
【図面の簡単な説明】
【００１３】
【図１】パチンコ遊技機盤面の遊技釘に掛けた測定器の側面図および正面図である。
【図２】測定器の上部接触子上面および側面の拡大図である。
【図３】測定器の下部接触子の拡大図である。
【図４】測定器の傾斜測定用気泡管および水平測定用気泡管の拡大図である。
【符号の説明】
【００１４】１    パチンコ遊技機盤面
２    測定器本体
３    遊技釘
４    釘傘
５    上部接触子
６    割り込み溝
７    貫通孔
８    測定器本体垂直測定用気泡管
９    下部接触子
１０  ネジ締結コマ
１１  上下移動用溝
１２  傾斜測定用気泡管
１３  水平測定用気泡管
１４  傾斜測定用気泡管固定ネジ
【考案を実施する為の最良の形態】
【実施例】
【００１５】  測定器本体２の形状は棒状ないしは長方形でアルミなど軽量な材料を用い、測定者が片手で保持出来る程度の大きさとする。【００１６】  測定器本体２の上部にＬ字で板状の上部接触子５を固定して設ける。上部接触子５には測定器本体２に垂直方向の割り込み溝６を設け、その割り込み溝６の一端に上部が小さく下部が大きい遊技釘の釘傘が通過しない傾斜を付けた貫通孔７を設ける。
パチンコ遊技機盤面１から突出している遊技釘３に上方から割り込み溝６に沿って上部接触子５を掛け、釘傘４に貫通孔７を沿わせることで釘傘４の半円形状が貫通孔７の傾斜に入り込み、測定器本体２の自重により上部接触子５の先端がパチンコ遊技機盤面１に当接するまで測定器本体２が下がる。上部接触子５の先端がパチンコ遊技機盤面１に当接すると、釘傘４が貫通孔７の傾斜内で止まり、測定器本体２がパチンコ遊技機盤面１に固定される。割り込み溝６の上部には測定器本体２がパチンコ遊技機盤面１に対する垂直測定をする測定器本体垂直測定気泡管８を設ける。パチンコ遊技機盤面１の傾斜設定は垂直からの任意の設定傾斜にするため、測定器本体２をパチンコ遊技機盤面１に取り付ける際には測定器本体垂直測定用気泡管８を使用し測定開始時の基準を測定する。【００１７】  測定器本体２の下部から棒状の下部接触子５を垂直に突出させ、その測定器本体２側にはネジ加工を施す。測定器本体２の内部にはネジ加工を施したネジ締結コマ１０を設け、測定器本体２には下部接触子９を測定器本体２に上下に移動させる上下移動用溝１１を設ける。下部接触子９はネジ締結コマ１０との締結を緩め、パチンコ遊技機盤面１上の突起物、例えば遊技釘３などを避け、測定器本体２に設けた上下移動用溝１１に沿って移動させ、突起物を避けた箇所でネジ締結コマ１０と締結させ測定器本体２に固定し、下部接触子９の先端をパチンコ遊技機盤面１に当接させる。下部接触子９は移動後ネジ締結コマ１０と締結させることで測定器本体２に固定され、締結の緩みによる下部接触子９の先端までの長さ不同をなくし、測定器本体２から上部接触子５先端までと下部接触子９先端までの長さを同等とする。【００１８】  測定器本体２の前部にパチンコ遊技機盤面１の正面に対し垂直方向に複数の傾斜測定用気泡管１２を隣接させ横一列にそれぞれ異なる傾斜を設定し備え、傾斜測定用気泡管固定ネジ１４で測定器本体２に固定する。傾斜測定用気泡管１２は設定傾斜の異なる気泡管をパチンコ遊技機の傾斜設定単位の０．５分ずつで隣接して配置しており、上部接触子５と下部接触子９でパチンコ遊技機盤面１に固定された測定器本体２の傾斜測定用気泡管１２の気泡位置が中心にある気泡管（図５イ参照）の傾斜表示をパチンコ遊技機盤面１の傾斜として測定する。【００１９】  測定器本体２の傾斜測定用気泡管１２を設けたその手前に、水平測定用気泡管１３を備え、測定器本体２が水平になった時に水平測定用気泡管１３の気泡位置が中心になるように（図５ロ参照）調節し測定器本体２に固定する。測定器本体２をパチンコ遊技機盤面１に固定する時に水平測定用気泡管１３の気泡位置が中心になり測定器本体２が水平になるように測定器本体２を遊技機盤面１に取り付け固定する。
【図１】
0003171139.tif 000003
【図２】
0003171139.tif 000004
【図３】
0003171139.tif 000005
【図４】
0003171139.tif 000006
【手続補正書】
【提出日】平成23年4月12日(2011.4.12)
【手続補正１】
【補正対象書類名】実用新案登録請求の範囲
【補正対象項目名】請求項２
【補正方法】変更
【補正の内容】
【請求項２】
測定器本体下部から垂直に突出させ、その測定器本体側にネジ加工を施した下部接触子と、測定器本体内部にネジ締結コマと、測定器本体には上下方向に下部接触子を移動させる上下移動用溝を設け、下部接触子とネジ締結コマとの締結時には測定器本体から上部接触子先端と下部接触子先端までの長さを同等とした下部接触子を備えたパチンコ遊技機盤面傾斜測定器。
【手続補正２】
【補正対象書類名】実用新案登録請求の範囲
【補正対象項目名】請求項３
【補正方法】変更
【補正の内容】
【請求項３】
パチンコ遊技機盤面正面に対し垂直方向にパチンコ遊技機盤面の傾斜測定をする複数の傾斜測定用気泡管を隣接して備えたパチンコ遊技機盤面傾斜測定器。
【手続補正３】
【補正対象書類名】実用新案登録請求の範囲
【補正対象項目名】請求項４
【補正方法】変更
【補正の内容】
【請求項４】
測定器本体のパチンコ遊技機盤面に対して横方向の水平測定をする水平測定用気泡管を備えたパチンコ遊技機盤面傾斜測定器。
【手続補正書】
【提出日】平成23年7月26日(2011.7.26)
【手続補正１】
【補正対象書類名】実用新案登録請求の範囲
【補正対象項目名】全文
【補正方法】変更
【補正の内容】
【実用新案登録請求の範囲】
【請求項１】
測定器本体正面にパチンコ遊技機盤面傾斜測定を行う傾斜測定用気泡管を横一列に複数配置し設け、測定時に前記測定器本体の横方向の傾きを防ぐ水平測定用気泡管を設け、傾斜測定用気泡管固定ネジの締結具合によって前記傾斜測定用気泡管の設定角度を調整するよう構成し、前記測定器本体裏側には前記測定器本体上部から垂直に突出させ測定器本体に固定して取り付けた上部接触子を設け、前記測定器本体下部に上下移動溝を形成し、前記測定器本体下部から垂直に突出させ前記上下移動溝に沿って上下移動する下部接触子を設けた構成としたことを特徴とするパチンコ遊技機盤面傾斜測定器。
【請求項２】
前記上部接触子には前記測定器本体に垂直方向の割り込み溝と、その割り込み溝の一端に上部が小さく下部が大きい遊技釘及び釘傘が通過しない傾斜を付けた前記遊戯釘及び釘傘に前記測定器本体を固定する貫通孔を設け、前記下部接触子には前記測定器本体側にネジ加工を施し、前記測定器本体内部に前記下部接触子と締結させるネジ加工を施したネジ締結コマを設け前記下部接触子が移動後締結固定する構成としたことを特徴とする請求項１記載のパチンコ遊技機盤面傾斜測定器。
【手続補正２】
【補正対象書類名】明細書
【補正対象項目名】全文
【補正方法】変更
【補正の内容】
【考案の詳細な説明】
【技術分野】
【０００１】  本考案は、パチンコ遊技機盤面の傾斜測定に関するものである。
【背景技術】
【０００２】  パチンコ遊技機は遊技機本体を垂直から０〜１度程度傾斜させて設置され、その傾斜を調節することで出玉の調整および管理が行われている。そのパチンコ遊技機台枠及び盤面に、気泡管を組み込んだ傾斜計やデジタル式の傾斜計から成る測定器を用い、パチンコ遊技機の傾斜角度を測定することが知られている。
【考案の概要】
【考案が解決しようとする課題】
【０００３】  従来、パチンコ遊技機の傾斜測定を行う際には、金属や樹脂製のフレームに側面から気泡管を組み込んだ傾斜計やデジタル式の傾斜計から成る測定器を、パチンコ遊技機台枠に直接当接させる方法や、その測定器から突出させた棒状の接触子でパチンコ遊技機盤面に当接させる方法、弾性体を利用した可動式上部接触子とパチンコ遊技機盤面上の突起物を避けるため移動する下部接触子を用いて直接測定器をパチンコ遊技機盤面に固定する方法などでパチンコ遊技機の傾斜測定を行っていた。
従来のパチンコ遊技機台枠に測定器を直接当接させ傾斜測定をする方法は、台枠の歪みやガタなどにより台枠と実質測定面であるパチンコ遊技機盤面の傾斜が必ずしも一致せず正確な傾斜測定がし難く、測定者が手で測定器を保持し測定値を側面から読み取るため作業性が悪いという問題点があった。パチンコ遊技機盤面に直接棒状の接触子を当接させる方法は、パチンコ遊技機盤面上の突起物が障害となりパチンコ遊技機盤面に当接し難く、測定者が手で測定器を保持するため当接誤差や手振れ等によって傾斜測定が不確実であった。弾性体を利用した可動式上部接触子とパチンコ遊技機盤面上の突起物を避けて移動する下部接触子を用いて測定器をパチンコ遊技機盤面に固定してパチンコ遊技機盤面の傾斜測定をする方法は、可動式のため簡易に素早くパチンコ遊技機盤面に取り付けることが出来ず、構造が複雑で遊技釘への着脱が不便で、且つ取り付け精度が不安定であり、パチンコ遊技機盤面上の突起物を避けるため移動する下部接触子を備えるが、測定器本体から上下接触子の長さが同等になり難く、測定誤差が生じる原因となっていた。傾斜測定用気泡管を測定器本体に側面から組み込む方法は、気泡管を縦方向に配置しパチンコ遊技機盤面の側面で傾斜測定をするため、気泡位置を正確に読み取り難く、瞬時に読み取るため正面から見る方法は、傾斜測定用気泡管の調整及び固定方法が難しく任意に設定された傾斜を維持し難く、測定範囲の調整や測定器の校正が容易に出来なかった。パチンコ遊技機盤面に簡易な方法で確実に取り付け固定し、迅速且つ正確にパチンコ遊技機盤面の傾斜測定し、その測定値を測定者の正面から気泡管の気泡位置を正確且つ瞬時に読み取ることが出来るパチンコ遊技機盤面傾斜測定器を提供することを課題とする。
【課題を解決するための手段】添付図面を参照して本考案の実施例を説明する。【０００４】測定器本体２正面にパチンコ遊技機盤面１傾斜測定を行う傾斜測定用気泡管１２を横一列に複数配置し設け、測定時に前記測定器本体２の横方向の傾きを防ぐ水平測定用気泡管１３を設け、傾斜測定用気泡管固定ネジ１４の締結具合によって前記傾斜測定用気泡管１２の設定角度を調整するよう構成し、前記測定器本体２裏側には前記測定器本体２上部から垂直に突出させ測定器本体に固定して取り付けた上部接触子５を設け、前記測定器本体２下部に上下移動用溝１１を形成し、前記測定器本体２下部から垂直に突出させ前記上下移動用溝１１に沿って上下移動する下部接触子９を設けた構成としたことを特徴とするパチンコ遊技機盤面傾斜測定器に係るものである。【０００５】前記の上部接触子５は前記測定器本体２に垂直方向の割り込み溝６と、その割り込み溝の一端に上部が小さく下部が大きい遊技釘３及び釘傘４が通過しない傾斜を付けた前記遊技釘３及び釘傘４に前記測定器本体２を固定する貫通孔７を設け、前記の下部接触子９には前記測定器本体２側にネジ加工を施し、前記測定器本体２内部に前記下部接触子９と締結させるネジ加工を施したネジ締結コマ１０を設け前記下部接触子９が移動後締結固定する構成としたことを特徴とする請求項１記載のパチンコ遊技機盤傾斜測定器に係るものである。
【考案の効果】
【０００６】本考案は上述のような構成により、釘傘と貫通孔を利用して上部接触子の割り込み溝と貫通孔をパチンコ遊技機盤面から突出している遊技釘へ当接させて掛けるだけで測定器本体の自重により、上部接触子先端がパチンコ遊技機盤面に当接するまで測定器本体が下がり、上部接触子先端をパチンコ盤面に当接させ固定することが出来る。また、上部接触子の固定方法は従来の弾性体を利用した可動式でなく非可動式の固定部品で構成されているため、可動式による動作誤差もなく、遊技釘への着脱も容易で取り付け精度も高く安定している。【０００７】また、下部接触子は測定器本体に設けた上下移動用溝に沿って上下方向に移動することで、パチンコ盤面上の突起物を避け、下部接触子先端がパチンコ遊技機盤面に当接することが出来る。移動後は測定器本体に設けた下部接触子のネジ加工部と測定器内部の下部接触子と締結するネジ締結コマで両者を締結させて固定することで、測定器本体ら下部接触子先端までの長さを常に一定に保つことが出来る。上述の下部接触子を固定することで測定器本体から上部接触子先端及び下部接触子の先端までの長さを同等とすることが出来、パチンコ盤面と測定器本体の平行を保ち、下部接触子が移動式であっても固定することで正確に測定することが出来る。【０００８】また、傾斜測定用気泡管は遊技機盤面正面に対して垂直方向に隣接させ横一列に設けてあるため、測定者が測定器本体正面から傾斜測定用気泡管の気泡位置を正確且つ瞬時に読み取ることが出来る。また、傾斜測定用気泡管はそれぞれ傾斜測定用気泡管固定ネジで測定器本体に固定し、その傾斜測定用気泡管固定ネジの締結具合を調整することで測定範囲の任意角度調整や測定器の校正を容易に行うことが出来る。また、水平測定用気泡管は測定器本体の傾斜測定時に測定器本体を水平に保ち、測定器本体がパチンコ遊技機盤面に対し横方向に傾くことを防ぎながら、パチンコ遊技機盤面の傾斜を正確に測定することが出来る。【０００９】よって、本考案はパチンコ遊技機盤面の正確な傾斜測定を行うにあたり、上部接触子をパチンコ遊技機盤面上の遊技釘に掛けるだけで簡易に取り付け固定出来るため作業者が手振れなく簡単に迅速且つ正確な傾斜測定が可能であり、下部接触子はパチンコ盤面の突起物を避けて移動させ、移動後にネジで締結固定させることで測定器本体から下部接触子先端までの長さを一定に保つため移動及び緩み等の長さ不揃いによる測定誤差を生じず、傾斜測定用気泡管も隣接させ横一列に設けてあるため、測定者が測定器本体正面から傾斜測定用気泡管の気泡位置を正確且つ瞬時に読み取ることが出来る。
【図面の簡単な説明】
【００１０】
【図１】パチンコ遊技機盤面の遊技釘に掛けた測定器の側面図および正面図である。
【図２】測定器の上部接触子上面および側面の拡大図である。
【図３】測定器の下部接触子の拡大図である。
【図４】測定器の傾斜測定用気泡管および水平測定用気泡管の拡大図である。
【符号の説明】
【００１１】１    パチンコ遊技機盤面
２    測定器本体
３    遊技釘
４    釘傘
５    上部接触子
６    割り込み溝
７    貫通孔
８    測定器本体垂直測定用気泡管
９    下部接触子
１０  ネジ締結コマ
１１  上下移動用溝
１２  傾斜測定用気泡管
１３  水平測定用気泡管
１４  傾斜測定用気泡管固定ネジ
【考案を実施する為の最良の形態】
【実施例】
【００１２】  測定器本体２の形状は棒状ないしは長方形でアルミなど軽量な材料を用い、測定者が片手で保持出来る程度の大きさとする。【００１３】  測定器本体２の上部にＬ字で板状の上部接触子５を固定して設ける。上部接触子５には測定器本体２に垂直方向の割り込み溝６を設け、その割り込み溝６の一端に上部が小さく下部が大きい遊技釘の釘傘が通過しない傾斜を付けた貫通孔７を設ける。
パチンコ遊技機盤面１から突出している遊技釘３に上方から割り込み溝６に沿って上部接触子５を掛け、釘傘４に貫通孔７を沿わせることで釘傘４の半円形状が貫通孔７の傾斜に入り込み、測定器本体２の自重により上部接触子５の先端がパチンコ遊技機盤面１に当接するまで測定器本体２が下がる。上部接触子５の先端がパチンコ遊技機盤面１に当接すると、釘傘４が貫通孔７の傾斜内で止まり、測定器本体２がパチンコ遊技機盤面１に固定される。【００１４】  測定器本体２の下部から棒状の下部接触子５を垂直に突出させ、その測定器本体２側にはネジ加工を施す。測定器本体２の内部にはネジ加工を施したネジ締結コマ１０を設け、測定器本体２には下部接触子９を測定器本体２に上下に移動させる上下移動用溝１１を設ける。下部接触子９はネジ締結コマ１０との締結を緩め、パチンコ遊技機盤面１上の突起物、例えば遊技釘３などを避け、測定器本体２に設けた上下移動用溝１１に沿って移動させ、突起物を避けた箇所でネジ締結コマ１０と締結させ測定器本体２に固定し、下部接触子９の先端をパチンコ遊技機盤面１に当接させる。下部接触子９は移動後ネジ締結コマ１０と締結させることで測定器本体２に固定され、締結の緩みによる下部接触子９の先端までの長さ不同をなくし、測定器本体２から上部接触子５先端までと下部接触子９先端までの長さを同等とする。【００１５】  測定器本体２の前部にパチンコ遊技機盤面１の正面に対し垂直方向に複数の傾斜測定用気泡管１２を隣接させ横一列にそれぞれ異なる傾斜を設定し備え、傾斜測定用気泡管固定ネジ１４で測定器本体２に固定する。傾斜測定用気泡管１２は設定傾斜の異なる気泡管をパチンコ遊技機の傾斜設定単位の０．５分ずつで隣接して配置しており、上部接触子５と下部接触子９でパチンコ遊技機盤面１に固定された測定器本体２の傾斜測定用気泡管１２の気泡位置が中心にある気泡管（図５イ参照）の傾斜表示をパチンコ遊技機盤面１の傾斜として測定する。【００１６】  測定器本体２の傾斜測定用気泡管１２を設けたその手前に、水平測定用気泡管１３を備え、測定器本体２が水平になった時に水平測定用気泡管１３の気泡位置が中心になるように（図５ロ参照）調節し測定器本体２に固定する。測定器本体２をパチンコ遊技機盤面１に固定する時に水平測定用気泡管１３の気泡位置が中心になり測定器本体２が水平になるように測定器本体２を遊技機盤面１に取り付け固定する。